(57)【特許請求の範囲】
【請求項１】
サーバと、
前記サーバと無線通信を行う通信部、表示部および撮影部を備えた複数の画像表示装置と、を有し、
前記複数の画像表示装置のそれぞれは、利用者が利用する相互に異なる複数の位置の利用対象のそれぞれに対応して表示された相互に異なる複数の識別子の中から少なくとも１つの識別子を選択させるための選択用情報を前記サーバへ送信し、
前記サーバは、前記複数の画像表示装置のそれぞれから送信された選択用情報を受信すると、該受信した選択用情報と所定の選択条件とに基づいて前記複数の識別子の中から少なくとも１つの識別子を選択し、該選択した識別子を示す識別子情報を当該受信した選択用情報の送信元の画像表示装置へ送信し、
前記複数の画像表示装置のそれぞれは、前記サーバから送信された識別子情報を受信し、前記撮影部にて撮影された撮影画像の中から前記受信した識別子情報が示す識別子を検出すると、該検出した識別子を指し示す画像を、当該撮影画像に重畳させて前記表示部に表示させる画像表示システム。
【請求項２】
請求項１に記載の画像表示システムにおいて、
前記複数の識別子のそれぞれは、複数の列車のそれぞれを構成する複数の車両のそれぞれと対応付けられ、
前記複数の画像表示装置のそれぞれは、乗車駅名情報と、降車駅名情報と、現在時刻を示す時刻情報とを含む情報を前記選択用情報として前記サーバへ送信し、
前記サーバは、前記受信した選択用情報と、前記複数の列車のそれぞれが各駅を出発する時刻を示す時刻表情報とから前記複数の列車のうちのいずれかを特定し、前記複数の識別子の中から、前記特定した列車を構成する複数の車両のうち該複数の車両のそれぞれに対応付けられた所定の情報を前記所定の選択条件として選択した少なくとも１つの車両に対応する識別子を選択する画像表示システム。
【請求項３】
請求項２に記載の画像表示システムにおいて、
前記サーバは、前記複数の識別子の中から、前記特定した列車を構成する複数の車両のうち該複数の車両のそれぞれの混雑状況を示す混雑状況情報を前記所定の選択条件として選択した少なくとも１つの車両に対応する識別子を選択する画像表示システム。
【請求項４】
表示部と、
撮影部と、
利用者が利用する相互に異なる複数の位置の利用対象のそれぞれに対応して表示された相互に異なる複数の識別子の中から少なくとも１つの識別子を選択させるための選択用情報をサーバへ送信し、その後、前記複数の識別子のうち、当該送信した選択用情報と所定の選択条件と基づいて選択された識別子を示す識別子情報を前記サーバから受信する通信部と、
前記撮影部にて撮影された撮影画像の中から前記通信部にて受信された識別子情報が示す識別子を検出する検出部と、
前記検出部にて検出された識別子を指し示す画像を、当該撮影画像に重畳させて前記表示部に表示させる制御部と、を有する画像表示装置。
【請求項５】
サーバと、前記サーバと無線通信を行う通信部、表示部および撮影部を備えた複数の画像表示装置とを有する画像表示システムにおける画像表示方法であって、
前記複数の画像表示装置のそれぞれが、利用者が利用する相互に異なる複数の位置の利用対象のそれぞれに対応して表示された相互に異なる複数の識別子の中から少なくとも１つの識別子を選択させるための選択用情報を前記サーバへ送信する送信処理と、
前記サーバが、前記複数の画像表示装置のそれぞれから送信された選択用情報を受信する処理と、
前記サーバが、前記受信した選択用情報と所定の選択条件とに基づいて前記複数の識別子の中から少なくとも１つの識別子を選択する選択処理と、
前記サーバが、前記選択した識別子を示す識別子情報を当該受信した選択用情報の送信元の画像表示装置へ送信する処理と、
前記複数の画像表示装置のそれぞれが、前記サーバから送信された識別子情報を受信する処理と、
前記複数の画像表示装置のそれぞれが、前記撮影部にて撮影された撮影画像の中から前記受信した識別子情報が示す識別子を検出すると、該検出した識別子を指し示す画像を、当該撮影画像に重畳させて前記表示部に表示させる処理と、を有する画像表示方法。
【請求項６】
請求項５に記載の画像表示方法において、
前記複数の識別子のそれぞれは、複数の列車のそれぞれを構成する複数の車両のそれぞれと対応付けられ、
前記送信処理は、前記複数の画像表示装置のそれぞれが、乗車駅名情報と、降車駅名情報と、現在時刻を示す時刻情報とを含む情報を前記選択用情報として前記サーバへ送信する処理であり、
前記サーバが、前記受信した選択用情報と、前記複数の列車のそれぞれが各駅を出発する時刻を示す時刻表情報とから前記複数の列車のうちのいずれかを特定する処理をさらに有し、
前記選択処理は、前記サーバが、前記複数の識別子の中から、前記特定した列車を構成する複数の車両のうち該複数の車両のそれぞれに対応付けられた所定の情報を前記所定の選択条件として選択した少なくとも１つの車両に対応する識別子を選択する処理である画像表示方法。
【請求項７】
請求項６に記載の画像表示方法において、
前記選択処理は、前記サーバが、前記複数の識別子の中から、前記特定した列車を構成する複数の車両のうち該複数の車両のそれぞれの混雑状況を示す混雑状況情報を前記所定の選択条件として選択した少なくとも１つの車両に対応する識別子を選択する処理である画像表示方法。
【請求項８】
サーバと無線通信を行う通信部、表示部および撮影部を有する画像表示装置における画像表示方法であって、
利用者が利用する相互に異なる複数の位置の利用対象のそれぞれに対応して表示された相互に異なる複数の識別子の中から少なくとも１つの識別子を選択させるための選択用情報を前記サーバへ送信する処理と、
前記複数の識別子のうち、当該送信した選択用情報と所定の選択条件と基づいて選択された識別子を示す識別子情報を前記サーバから受信する処理と、
前記撮影部にて撮影された撮影画像の中から前記受信された識別子情報が示す識別子を検出する処理と、
前記検出された識別子を指し示す画像を、当該撮影画像に重畳させて前記表示部に表示させる処理と、を有する画像表示方法。
【請求項９】
サーバと無線通信を行う通信部、表示部および撮影部を有する画像表示装置に、
利用者が利用する相互に異なる複数の位置の利用対象のそれぞれに対応して表示された相互に異なる複数の識別子の中から少なくとも１つの識別子を選択させるための選択用情報を前記サーバへ送信する機能と、
前記複数の識別子のうち、当該送信した選択用情報と所定の選択条件と基づいて選択された識別子を示す識別子情報を前記サーバから受信する機能と、
前記撮影部にて撮影された撮影画像の中から前記受信された識別子情報が示す識別子を検出する機能と、
前記検出された識別子を指し示す画像を、当該撮影画像に重畳させて前記表示部に表示させる機能と、を実現させるためのプログラム。
【発明の詳細な説明】
【技術分野】
【０００１】
本発明は、画像を表示する画像表示システム、画像表示装置、画像表示方法およびプログラムに関する。
【背景技術】
【０００２】
列車を利用する利用者は、その列車を構成する複数の車両のうち、混雑していない車両や、降車する降車駅において改札口や階段等に近い車両に乗車したいと考えるのが通常である。
【０００３】
しかし、例えば初めて利用する列車等の場合、その利用者は、混雑していない車両や、降車する駅において改札口や階段等に近い車両がどの車両なのかわからないことが多い。
【０００４】
最近では、降車駅の改札口や階段等の位置を車両の位置と対応付けた案内が、駅のホーム等に掲示されていることもある。しかし、降車駅が乗降者数の多い駅の場合、同じ車両に乗客が集中することも多い。
【０００５】
そのため、降車駅において出口や階段等に近い車両のうち、混雑していない車両を示す情報、すなわち、利用者の要望に応じた位置を示す情報をその利用者へ通知することができれば、非常に利便性が高い。
【０００６】
ここで、利用者の要望に応じた位置を示す情報をその利用者へ通知することを可能にする技術が例えば、特許文献１に開示されている。
【０００７】
特許文献１に開示されている技術では、利用者が列車に乗車する際、その利用者が最適と考える乗車位置まで円滑に案内する文字情報からなるメッセージを携帯電話端末に表示させる。
【先行技術文献】
【特許文献】
【０００８】
【特許文献１】特開２０１０−１５２７４３号公報
【発明の概要】
【発明が解決しようとする課題】
【０００９】
上述した特許文献１に開示されている技術を用いれば、列車を構成する複数の車両のうち、例えば混雑率が低い車両の乗車位置まで誘導するための文字情報を、利用者の携帯電話端末に表示させることができる。
【００１０】
しかしながら、乗車位置まで誘導するための情報として文字情報を利用した場合、十分な情報量を確保することができず、利用者は文字情報を参照してもその乗車位置まで到達できない可能性がある。
【００１１】
つまり、特許文献１に開示されている技術を用いても、利用者の要望に応じた位置をその利用者に容易に認知させることができないという問題点がある。
【００１２】
本発明は、利用者の要望に応じた位置をその利用者に容易に認知させることができる画像表示システム、画像表示装置、画像表示方法およびプログラムを提供することを目的とする。
【課題を解決するための手段】
【００１３】
上記目的を達成するために本発明の画像表示システムは、
サーバと、
前記サーバと無線通信を行う通信部、表示部および撮影部を備えた複数の画像表示装置と、を有し、
前記複数の画像表示装置のそれぞれは、利用者が利用する相互に異なる複数の位置の利用対象のそれぞれに対応して表示された相互に異なる複数の識別子の中から少なくとも１つの識別子を選択させるための選択用情報を前記サーバへ送信し、
前記サーバは、前記複数の画像表示装置のそれぞれから送信された選択用情報を受信すると、該受信した選択用情報と所定の選択条件とに基づいて前記複数の識別子の中から少なくとも１つの識別子を選択し、該選択した識別子を示す識別子情報を当該受信した選択用情報の送信元の画像表示装置へ送信し、
前記複数の画像表示装置のそれぞれは、前記サーバから送信された識別子情報を受信し、前記撮影部にて撮影された撮影画像の中から前記受信した識別子情報が示す識別子を検出すると、該検出した識別子を指し示す画像を、当該撮影画像に重畳させて前記表示部に表示させる。
【００１４】
また、上記目的を達成するために本発明の画像表示装置は、
表示部と、
撮影部と、
利用者が利用する相互に異なる複数の位置の利用対象のそれぞれに対応して表示された相互に異なる複数の識別子の中から少なくとも１つの識別子を選択させるための選択用情報をサーバへ送信し、その後、前記複数の識別子のうち、当該送信した選択用情報と所定の選択条件と基づいて選択された識別子を示す識別子情報を前記サーバから受信する通信部と、
前記撮影部にて撮影された撮影画像の中から前記通信部にて受信された識別子情報が示す識別子を検出する検出部と、
前記検出部にて検出された識別子を指し示す画像を、当該撮影画像に重畳させて前記表示部に表示させる制御部と、を有する。
【００１５】
また、上記目的を達成するために本発明の画像表示方法は、サーバと、前記サーバと無線通信を行う通信部、表示部および撮影部を備えた複数の画像表示装置とを有する画像表示システムにおける画像表示方法であって、
前記複数の画像表示装置のそれぞれが、利用者が利用する相互に異なる複数の位置の利用対象のそれぞれに対応して表示された相互に異なる複数の識別子の中から少なくとも１つの識別子を選択させるための選択用情報を前記サーバへ送信する送信処理と、
前記サーバが、前記複数の画像表示装置のそれぞれから送信された選択用情報を受信する処理と、
前記サーバが、前記受信した選択用情報と所定の選択条件とに基づいて前記複数の識別子の中から少なくとも１つの識別子を選択する選択処理と、
前記サーバが、前記選択した識別子を示す識別子情報を当該受信した選択用情報の送信元の画像表示装置へ送信する処理と、
前記複数の画像表示装置のそれぞれが、前記サーバから送信された識別子情報を受信する処理と、
前記複数の画像表示装置のそれぞれが、前記撮影部にて撮影された撮影画像の中から前記受信した識別子情報が示す識別子を検出すると、該検出した識別子を指し示す画像を、当該撮影画像に重畳させて前記表示部に表示させる処理と、を有する。
【００１６】
また、上記目的を達成するために本発明の画像表示方法は、サーバと無線通信を行う通信部、表示部および撮影部を有する画像表示装置における画像表示方法であって、
利用者が利用する相互に異なる複数の位置の利用対象のそれぞれに対応して表示された相互に異なる複数の識別子の中から少なくとも１つの識別子を選択させるための選択用情報を前記サーバへ送信する処理と、
前記複数の識別子のうち、当該送信した選択用情報と所定の選択条件と基づいて選択された識別子を示す識別子情報を前記サーバから受信する処理と、
前記撮影部にて撮影された撮影画像の中から前記受信された識別子情報が示す識別子を検出する処理と、
前記検出された識別子を指し示す画像を、当該撮影画像に重畳させて前記表示部に表示させる処理と、を有する。
【００１７】
また、上記目的を達成するために本発明のプログラムは、サーバと無線通信を行う通信部、表示部および撮影部を有する画像表示装置に、
利用者が利用する相互に異なる複数の位置の利用対象のそれぞれに対応して表示された相互に異なる複数の識別子の中から少なくとも１つの識別子を選択させるための選択用情報を前記サーバへ送信する機能と、
前記複数の識別子のうち、当該送信した選択用情報と所定の選択条件と基づいて選択された識別子を示す識別子情報を前記サーバから受信する機能と、
前記撮影部にて撮影された撮影画像の中から前記受信された識別子情報が示す識別子を検出する機能と、
前記検出された識別子を指し示す画像を、当該撮影画像に重畳させて前記表示部に表示させる機能と、を実現させる。
【発明の効果】
【００１８】
本発明は以上説明したように構成されているので、利用者の要望に応じた位置をその利用者に容易に認知させることができる。
【図面の簡単な説明】
【００１９】
【図１】本発明の画像表示システムの実施の一形態の構成を示すブロック図である。
【図２】図１に示した画像表示システムを構成する各装置の構成の一例を示すブロック図であり、（ａ）はサーバの構成を示すブロック図、（ｂ）は携帯端末の構成を示すブロック図である。
【図３】図２に示したデータベースが備えるテーブルの構成の一例を示す図であり、（ａ）は車両別混雑状況情報テーブルの構成を示す図、（ｂ）は識別子情報テーブルの構成を示す図、（ｃ）は時刻表情報テーブルの構成を示す図である。
【図４】図２に示したサーバの制御部が識別子情報を抽出する動作を説明するためのフローチャートである。
【図５】図２に示した携帯端末の制御部が生成する指示画像を説明するための図であり、（ａ）は駅のホームを上から見たときの図、（ｂ）は（ａ）と同じホームを撮影したときの表示部１２における表示状態を示す図である。
【図６】図１〜図５に示した画像表示システムの動作を説明するためのシーケンス図である。
【図７】図２に示したデータベースが備えるエレベータ別混雑状況情報テーブルの構成の一例を示す図である。
【図８】図１、図２および図７に示した画像表示システムの動作を説明するためのシーケンス図である。
【図９】本発明の画像表示システムを構成する画像表示装置の構成の他の例を示すブロック図である。
【発明を実施するための形態】
【００２０】
以下に、本発明の実施の形態について図面を参照して説明する。
【００２１】
図１は、本発明の画像表示システムの実施の一形態の構成を示すブロック図である。
【００２２】
本実施形態の画像表示システム１００は図１に示すように、画像表示装置である携帯端末１０−１〜１０−ｎを備えている。また、画像表示システム１００は、複数の列車のそれぞれを構成する複数の車両のそれぞれに設置された検知装置３０−１〜３０−ｎのそれぞれから送信された混雑状況情報を受信するサーバ２０を備えている。
【００２３】
なお、本実施形態においては、説明をわかりやすくするため、複数の列車のそれぞれを構成する車両数は全て６両であるものとする。
【００２４】
また、本実施形態において、複数の列車のそれぞれは、複数の列車ＩＤ（Ｉｄｅｎｔｉｆｉｃａｔｉｏｎ）のそれぞれにて識別される。また、複数の列車のそれぞれを構成する複数の車両のそれぞれは複数の車両ＩＤのそれぞれにて識別される。なお、先頭（または最後尾）の車両を識別する車両ＩＤが「１」であり、車両ＩＤ「１」にて識別される車両に近いものから順番に車両ＩＤが「２」、「３」、「４」、「５」、「６」であるものとする。
【００２５】
検知装置３０−１〜３０−ｎのそれぞれは、無線通信機能を備えている。また、検知装置３０−１〜３０−ｎのそれぞれは、例えば画像解析装置（不図示）や赤外線センサー（不図示）を備えており、それらを用いて、その検知装置が設置されている車両内の混雑状況を認識する。例えば画像解析装置を用いた場合、検知装置３０−１〜３０−ｎのそれぞれは、画像解析装置が撮影した画像を解析し、その車両内の一定の空間内にどれくらいの人がいるのかを認識する。また、例えば赤外線センサーを用いた場合、検知装置３０−１〜３０−ｎのそれぞれは、赤外線センサーにて人の体温等を検知し、その車両内の一定の空間内にどれくらいの人がいるのかを認識する。次に、検知装置３０−１〜３０−ｎのそれぞれは、認識結果に基づいてその検知装置が設置されている車両の混雑率を算出する。そして、検知装置３０−１〜３０−ｎのそれぞれは、算出した混雑率を示す混雑状況情報を生成する。なお、混雑状況情報には、検知装置３０−１〜３０−ｎのそれぞれが設置されている車両の列車ＩＤと車両ＩＤとが付加されている。そして、検知装置３０−１〜３０−ｎのそれぞれは、生成した混雑状況情報をサーバ２０へ送信する。なお、検知装置３０−１〜３０−ｎのそれぞれは、その検知装置が設置された車両の列車が少なくとも各駅を発車する度に、車両内の混雑状況を認識して混雑状況情報をサーバ２０へ送信するのが望ましい。
【００２６】
図２は、図１に示した画像表示システム１００を構成する各装置の構成の一例を示すブロック図であり、（ａ）はサーバ２０の構成を示すブロック図、（ｂ）は携帯端末１０−１の構成を示すブロック図である。
【００２７】
図２（ａ）を参照すると、サーバ２０は、データベース２１と、通信部２２と、制御部２３とを備えている。
【００２８】
データベース２１は、複数の駅の駅名情報のそれぞれと、その複数の駅のそれぞれを識別する複数の駅ＩＤのそれぞれとを対応付けて記憶している。また、データベース２１は、車両別混雑状況情報テーブルと、識別子情報テーブルと、時刻表情報テーブルとを備えている。
【００２９】
図３は、図２に示したデータベース２１が備えるテーブルの構成の一例を示す図であり、（ａ）は車両別混雑状況情報テーブルの構成を示す図、（ｂ）は識別子情報テーブルの構成を示す図、（ｃ）は時刻表情報テーブルの構成を示す図である。
【００３０】
車両別混雑状況情報テーブルは、複数の列車ＩＤ毎に生成されている。図３（ａ）に示すように車両別混雑状況情報テーブルでは、車両ＩＤと、その車両ＩＤにて識別される車両の混雑率とが対応付けられている。
【００３１】
識別子情報テーブルは、複数の駅ＩＤ毎に生成されている。図３（ｂ）に示すように識別子情報テーブルでは、車両ＩＤと、識別子情報と、その駅ＩＤにて識別される駅における改札口または階段の位置を示す出口情報とが対応付けられている。
【００３２】
なお、識別子情報テーブルにおいて出口情報は「０」または「１」のいずれかの値としており、「１」が改札口または階段の位置であることを示しているものとする。従って、図３（ｂ）に示す例では、車両ＩＤ「２」にて識別される車両が改札口または階段に最も近い車両となる。
【００３３】
また、識別子情報テーブルにおける複数の識別子情報のそれぞれが示す複数の識別子のそれぞれは、駅のホーム上の複数の車両のそれぞれの乗降口に表示されているものとする。なお、複数の識別子のそれぞれは、例えば形状や模様等が相互に異なっている。
【００３４】
図３（ｃ）に示すように時刻表情報テーブルでは、列車ＩＤと、その列車ＩＤにて識別される列車が停車する駅を識別する複数の駅ＩＤおよびその駅の出発時刻とが対応付けられている。図３（ｃ）に示す例では、列車ＩＤ「００１」の列車は、駅ＩＤ「０００５」にて識別される駅を「１２時４５分」に出発し、その後、駅ＩＤ「０００６」にて識別される駅を「１２時５０分」に出発することになる。
【００３５】
再度図２（ａ）を参照すると、通信部２２は、無線通信機能を備えている。通信部２２は、検知装置３０−１〜３０−ｎのそれぞれから送信された混雑状況情報を受信し、受信した混雑状況情報を制御部２３へ出力する。また、通信部２２は、携帯端末１０−１〜１０−ｎのそれぞれから送信された選択用情報を受信し、受信した選択用情報を制御部２３へ出力する。なお、選択用情報には、乗車する駅の駅名情報である乗車駅名情報と、降車する駅の駅名情報である降車駅名情報と、時刻情報とが含まれている。また、通信部２２は、制御部２３から出力された識別子情報を受け付け、受け付けた識別子情報を、選択用情報の送信元の携帯端末へ送信する。
【００３６】
制御部２３は、通信部２２から出力された混雑状況情報を受け付ける。そして、制御部２３は受け付けた混雑状況情報に基づいて車両別混雑状況情報テーブルの混雑率を更新する。具体的には、制御部２３は、受け付けた混雑状況情報に付加された列車ＩＤの車両別混雑状況情報テーブルにおいて、その混雑状況情報に付加された車両ＩＤに対応する混雑率を、その混雑状況情報が示す値に更新する。また、制御部２３は、通信部２２から出力された選択用情報を受け付ける。そして、制御部２３は、受け付けた選択用情報に含まれる乗車駅名情報と、降車駅名情報と、時刻情報と、所定の選択条件とに基づき、識別子情報テーブルから少なくとも１つの識別子情報を抽出する。そして、制御部２３は、抽出した識別子情報を通信部２２へ出力する。ここで、制御部２３が識別子情報を抽出する動作の詳細について説明する。
【００３７】
図４は、図２に示したサーバ２０の制御部２３が識別子情報を抽出する動作を説明するためのフローチャートである。
【００３８】
制御部２３は、時刻表情報テーブルを参照し、乗車駅名情報に対応する駅ＩＤの出発時刻が、時刻情報が示す時刻よりも後であり、かつ、降車駅名情報に対応する駅ＩＤが含まれる列の列車ＩＤのうち、乗車駅名情報に対応する駅ＩＤの出発時刻が最も早い列車ＩＤを特定する（ステップＳ１）。例えば、時刻表情報テーブルが図３（ｃ）に示す内容である場合、乗車駅名情報に対応する駅ＩＤが「０００５」であり、時刻情報が示す時刻が「１２時４６分」であり、降車駅名情報に対応する駅ＩＤが「０００７」であるとすると、列車ＩＤ「００２」が特定される。なお、この特定方法は一例であり、他の方法で列車ＩＤを特定してもよい。
【００３９】
次に、制御部２３は、降車駅名情報に対応する駅ＩＤの識別子情報テーブルから、出口情報の値が「１」に対応する車両ＩＤを選択車両ＩＤとして選択する（ステップＳ２）。例えば、降車駅名情報に対応する駅ＩＤの識別子情報テーブルが図３（ｂ）に示す内容である場合、車両ＩＤ「２」が選択車両ＩＤとして選択される。なお、以降の説明においては、降車駅名情報に対応する駅ＩＤの識別子情報テーブルのことを単に、識別子情報テーブルという。
【００４０】
次に、制御部２３は、ステップＳ１にて特定した列車ＩＤの車両別混雑状況情報テーブルから、選択車両ＩＤに対応する混雑率を抽出する（ステップＳ３）。例えば、ステップＳ１にて特定した列車ＩＤの車両別混雑状況情報テーブルが図３（ａ）に示す内容であり、選択車両ＩＤが「２」である場合、制御部２３は、混雑率「６５」を抽出することになる。
【００４１】
そして、制御部２３は、抽出した混雑率が予め決められた閾値以上であるかどうかを判定する（ステップＳ４）。
【００４２】
ステップＳ４における判定の結果、抽出した混雑率が予め決められた閾値以上である場合、制御部２３は、識別子情報テーブルにおいて全ての車両ＩＤを選択車両ＩＤとして選択済みかどうかを判定する（ステップＳ５）。
【００４３】
ステップＳ５における判定の結果、識別子情報テーブルにおいて全ての車両ＩＤを選択車両ＩＤとして選択済みでない場合、制御部２３は、識別子情報テーブルにおいて、選択車両ＩＤとして選択されていない車両ＩＤのうち出口情報の値が１に対応する車両ＩＤに最も近い値の車両ＩＤを新たな選択車両ＩＤとして選択する（ステップＳ６）。例えば、識別子情報テーブルが図３（ｂ）に示す内容であり、選択車両ＩＤが「２」である場合、制御部２３は、車両ＩＤ「１」および車両ＩＤ「３」を新たな選択車両ＩＤとして選択することになる。
【００４４】
そして、ステップＳ３の動作へ遷移する。
【００４５】
一方、ステップＳ５における判定の結果、識別子情報テーブルにおいて全ての車両ＩＤを選択車両ＩＤとして選択済みである場合、制御部２３は、識別子情報テーブルから、出口情報の値が「１」に対応する識別子情報を抽出する（ステップＳ７）。例えば、識別子情報テーブルが図３（ｂ）に示す内容である場合、制御部２３は、識別子情報ｂを抽出することになる。
【００４６】
ここで、ステップＳ４における判定の結果、抽出した混雑率が予め決められた閾値よりも小さな場合、制御部２３は、識別子情報テーブルから、選択車両ＩＤに対応する識別子情報を抽出する（ステップＳ８）。
【００４７】
なお、ステップＳ６において２つの車両ＩＤが選択車両ＩＤとして選択された場合、ステップＳ３において２つの混雑率が抽出されることになる。この場合、抽出された２つの混雑率がともに、予め決められた閾値よりも小さければ、その２つの選択車両ＩＤのそれぞれに対応する２つの識別子情報を抽出するようにしてもよい。また、何らかの方法で２つの選択車両ＩＤのうちのいずれかを選択し、選択した選択車両ＩＤに対応する識別子情報だけを抽出するようにしてもよい。
【００４８】
また、ステップＳ５における判定の結果、識別子情報テーブルにおいて全ての車両ＩＤを選択車両ＩＤとして選択済みである場合、閾値を所定幅だけ大きくし、再度ステップＳ２〜Ｓ６の動作を繰り返すようにしてもよい。
【００４９】
図２（ｂ）を参照すると、携帯端末１０−１は、撮影部１１と、表示部１２と、位置測定部１３と、入力部１４と、通信部１５と、検出部１６と、制御部１７とを備えている。なお、携帯端末１０−２〜１０−ｎも同様の構成である。
【００５０】
撮影部１１は、制御部１７からの指示に従い被写体を撮影する。
【００５１】
表示部１２は、例えばＬＣＤ（Ｌｉｑｕｉｄ  Ｃｒｙｓｔａｌ  Ｄｉｓｐｌａｙ）を備えている。表示部１２は、制御部１７からの指示に従い、撮影部１１にて撮影された撮影画像等の画像を表示する。
【００５２】
位置測定部１３は、例えばＧＰＳ信号を受信することで携帯端末１０−１の現在位置を測定する。位置測定部１３は、携帯端末１０−１の現在位置が駅であることを検知すると、その駅の駅名情報を制御部１７へ出力する。
【００５３】
入力部１４は、各種指示や選択等の入力を携帯端末１０−１の操作者から受け付け、受け付けた指示を示す情報や選択された内容を示す情報を制御部１７へ出力する。具体的には、入力部１４は、携帯端末１０−１の操作者からの撮影指示を受け付けると、撮影指示が受け付けられたことを示す撮影指示情報を制御部１７へ出力する。また、入力部１４は、携帯端末１０−１の操作者から、その操作者が降車する駅の駅名情報の入力を受け付ける。そして、入力部１４は、受け付けた駅名情報を制御部１７へ出力する。
【００５４】
通信部１５は、無線通信機能を備えている。通信部１５は、制御部１７から出力された選択用情報を受け付け、受け付けた選択用情報をサーバ２０へ送信する。また、通信部１５は、サーバ２０から送信された識別子情報を受信し、受信した識別子情報を検出部１６へ出力する。
【００５５】
検出部１６は、通信部１５から出力された識別子情報を受け付ける。そして、検出部１６は、撮影部１１にて撮影された撮影画像の中から、受け付けた識別子情報が示す識別子を検出する。そして、検出部１６は、検出した識別子の表示部１２における表示位置を示す位置情報を制御部１７へ出力する。
【００５６】
制御部１７は、携帯端末１０−１の各部の動作を制御するための機能を備えている。具体的には、制御部１７は、入力部１４から出力された撮影指示情報を受け付けると、撮影部１１に被写体の撮影を開始させるとともに、撮影部１１にて撮影された撮影画像を表示部１２に表示させる。また、制御部１７は、位置測定部１３から出力された駅名情報を乗車駅名情報として受け付ける。また、制御部１７は、入力部１４から出力された駅名情報を降車駅名情報として受け付ける。そして、制御部１７は、受け付けた乗車駅名情報および降車駅名情報と、現在の時刻を示す時刻情報とを含む選択用情報を生成する。そして、制御部１７は、生成した選択用情報を通信部１５へ出力する。また、制御部１７は、検出部１６から出力された位置情報を受け付けると、検出部１６にて検出された識別子を指し示すための指示画像を生成する。そして、制御部１７は、受け付けた位置情報が示す位置に、生成した指示画像を撮影画像に重畳させて表示部１２に表示させる。
【００５７】
図５は、図２に示した携帯端末１０−１の制御部１７が生成する指示画像を説明するための図であり、（ａ）は駅のホームを上から見たときの図、（ｂ）は（ａ）と同じホームを撮影したときの表示部１２における表示状態を示す図である。
【００５８】
図５（ａ）に示すように、ホーム上には相互に異なる４つの識別子５１〜５４が表示されている。この場合に、例えば携帯端末１０−１にて受信された識別子情報が示す識別子が識別子５３であるとすると、図５（ｂ）に示すように、制御部１７は、識別子５３を指し示す指示画像６１を撮影画像に重畳させて表示部１２に表示させる。なお、図５に示した識別子５１〜５４の形状や模様等は一例である。
【００５９】
以下に、上記のように構成された画像表示システムの動作について説明する。ここでは、一例として、携帯端末１０−１が選択用情報をサーバ２０へ送信する場合の動作について説明する。
【００６０】
なお、上述したように検知装置３０−１〜３０−ｎのそれぞれは、その検知装置が設置されている列車が駅を出発する毎に混雑状況情報をサーバ２０へ送信している。そして、サーバ２０の制御部２３は、検知装置３０−１〜３０−ｎのそれぞれから送信された混雑状況情報が受信される度に、データベース２１が備える車両別混雑状況情報テーブルの混雑率を更新する。
【００６１】
図６は、図１〜図５に示した画像表示システム１００の動作を説明するためのシーケンス図である。
【００６２】
携帯端末１０−１の位置測定部１３は、携帯端末１０−１の現在位置が駅であることを検知する（ステップＳ２１）。そして、位置測定部１３は、その駅の駅名情報を制御部１７へ出力する。
【００６３】
次に、入力部１４は、携帯端末１０−１の操作者から、その操作者が降車する駅の駅名情報の入力を受け付ける（ステップＳ２２）。そして、入力部１４は、受け付けた駅名情報を制御部１７へ出力する。
【００６４】
次に、制御部１７は、位置測定部１３から出力された駅名情報を乗車駅名情報として受け付け、入力部１４から出力された駅名情報を降車駅名情報として受け付ける。
【００６５】
次に、制御部１７は、受け付けた乗車駅名情報および降車駅名情報と、現在時刻を示す時刻情報とを含む選択用情報を生成し、生成した選択用情報を通信部１５へ出力する。
【００６６】
制御部１７から出力された選択用情報を受け付けた通信部１５は、受け付けた選択用情報をサーバ２０へ送信する（ステップＳ２３）。
【００６７】
サーバ２０の通信部２２は、携帯端末１０−１から送信された選択用情報を受信し、受信した選択用情報を制御部２３へ出力する。
【００６８】
通信部２２から出力された選択用情報を受け付けた制御部２３は、図４を参照しながら説明した動作に従い、識別子情報テーブルから少なくとも１つの識別子情報を抽出する（ステップＳ２４）。そして、制御部２３は、抽出した識別子情報を通信部２２へ出力する。
【００６９】
制御部２３から出力された識別子情報を受け付けた通信部２２は、受け付けた識別子情報を携帯端末１０−１へ送信する（ステップＳ２５）。
【００７０】
サーバ２０から送信された識別子情報を受信した携帯端末１０−１の通信部１５は、受信した識別子情報を検出部１６へ出力する。
【００７１】
次に、入力部１４は、携帯端末１０−１の操作者からの撮影指示を受け付ける。そして、入力部１４は、撮影指示情報を制御部１７へ出力する。
【００７２】
入力部１４から出力された撮影指示情報を受け付けた制御部１７は、撮影部１１に被写体の撮影を開始させるとともに、撮影部１１にて撮影された撮影画像を表示部１２に表示させる（ステップＳ２６）。
【００７３】
通信部１５から出力された識別子情報を受け付けた検出部１６は、撮影部１１にて撮影された撮影画像の中から、受け付けた識別子情報が示す識別子を検出する（ステップＳ２７）。
【００７４】
そして、検出部１６は、検出した識別子の表示部１２における表示位置を示す位置情報を制御部１７へ出力する。
【００７５】
検出部１６から出力された位置情報を受け付けた制御部１７は、指示画像を生成する（ステップＳ２８）。
【００７６】
そして、制御部１７は、受け付けた位置情報が示す位置に、生成した指示画像を撮影画像に重畳させて表示部１２に表示させる（ステップＳ２９）。
【００７７】
このように本実施形態において携帯端末１０−１〜１０−ｎのそれぞれは、相互に異なる複数の位置のそれぞれに表示された相互に異なる複数の識別子の中から少なくとも１つの識別子を選択させるための選択用情報をサーバ２０へ送信する。
【００７８】
サーバ２０は、携帯端末１０−１〜１０−ｎのそれぞれから送信された選択用情報を受信すると、受信した選択用情報と所定の選択条件とに基づいて複数の識別子の中から少なくとも１つの識別子を選択する。
【００７９】
そして、サーバ２０は、選択した識別子を示す識別子情報を当該受信した選択用情報の送信元の画像表示装置へ送信する。
【００８０】
携帯端末１０−１〜１０−ｎのそれぞれは、サーバ２０から送信された識別子情報を受信する。そして、携帯端末１０−１〜１０−ｎのそれぞれは、撮影部１１にて撮影された撮影画像の中から、受信した識別子情報が示す識別子を検出すると、検出した識別子を指し示す画像を、当該撮影画像に重畳させて表示部１２に表示させる。
【００８１】
これにより、利用者の要望に応じた位置をその利用者に容易に認知させることができる。
【００８２】
また、携帯端末１０−１〜１０−ｎのそれぞれの操作者が携帯端末１０−１〜１０−ｎにて受信された識別子情報が示す識別子にて識別される車両に乗車すれば、各列車の混雑状況が平準化するという効果も期待できる。これは鉄道会社にとっても大きなメリットとなる。
【００８３】
なお、ここでは、降車駅で降車した後の利便性と、複数の車両のそれぞれの混雑状況とを所定の選択条件とした場合について説明した。これ以外にも、例えば、降車駅で降車した後の利便性だけではなく、乗車中の利便性を所定の選択条件に含めることも可能である。乗車中の利便性とは例えば、乗車中に座席に座れるかどうか等である。これを実現するためには、複数の列車のそれぞれの複数の車両毎に過去の混雑状況の変化を示す情報を車両ＩＤと対応付けてデータベース２１に記憶させておく。そして、図４に示したような識別子情報を抽出するフローにおいて、過去の混雑状況の変化を示す情報を加味すればよい。
【００８４】
ここまで、複数の車両のうち利用者の要望に応じた車両の乗車口を指し示す画像を表示する画像表示システムについて説明した。
【００８５】
本発明はこれに限定されず、本発明を適用することで例えば、並列して設けられている複数のエレベータのうち利用者の要望に応じたエレベータを指し示す画像を表示する画像表示システムを実現することも可能である。
【００８６】
以降の説明における画像表示システムは、図１に示した画像表示システム１００と同じ構成である。但し、検知装置３０−１〜３０−ｎのそれぞれは、並列して設けられた複数のエレベータのそれぞれに設置されている。
【００８７】
また、複数のエレベータのそれぞれは、エレベータＩＤにて識別される。
【００８８】
また、データベース２１は、エレベータ別混雑状況情報テーブルを備えている。
【００８９】
図７は、図２に示したデータベース２１が備えるエレベータ別混雑状況情報テーブルの構成の一例を示す図である。
【００９０】
エレベータ別混雑状況情報テーブルでは図７に示すように、エレベータＩＤと、そのエレベータＩＤにて識別されるエレベータの混雑率と、そのエレベータＩＤにて識別されるエレベータが直近に停止した階数と、そのエレベータＩＤにて識別されるエレベータの移動方向と、識別子とが対応付けられている。
【００９１】
なお、エレベータ別混雑状況情報テーブルにおいて移動方向は、「０」または「１」のいずれかの値としており、「０」が下方向を示し、「１」が上方向を示しているものとする。
【００９２】
また、エレベータ別混雑状況情報テーブルにおける複数の識別子情報のそれぞれが示す複数の識別子のそれぞれは、ビルの各階において複数のエレベータのそれぞれの扉や乗降口に表示されているものとする。
【００９３】
携帯端末１０−１〜１０−ｎおよびサーバ２０の動作は基本的に、上述したのと同じである。詳細については後述する動作フローにおいて説明する。
【００９４】
以下に、上記のように構成された画像表示システムの動作について説明する。ここでは、一例として、携帯端末１０−１が選択用情報をサーバ２０へ送信する場合の動作について説明する。なお、ここでは、サーバ２０の制御部２３が識別子情報を抽出する動作についても合わせて説明する。
【００９５】
なお、検知装置３０−１〜３０−ｎのそれぞれは、その検知装置が設置されているエレベータが各階を出発する毎に混雑状況情報をサーバ２０へ送信している。そして、サーバ２０の制御部２３は、検知装置３０−１〜３０−ｎのそれぞれから送信された混雑状況情報が受信される度に、データベース２１が備えるエレベータ別混雑状況情報テーブルの混雑率を更新する。
【００９６】
図８は、図１、図２および図７に示した画像表示システム１００の動作を説明するためのシーケンス図である。
【００９７】
携帯端末１０−１の位置測定部１３は、携帯端末１０−１の現在位置の階数を検知する（ステップＳ４１）。そして、位置測定部１３は、その階数を示す階数情報を制御部１７へ出力する。なお、ここでは、位置測定部１３は、ＧＰＳ信号を受信することで携帯端末１０−１の現在位置を測定するだけではなく、無線ＬＡＮ（Ｌｏｃａｌ  Ａｒｅａ  Ｎｅｔｗｏｒｋ）のアクセスポイントからの信号を受信することで携帯端末１０−１の現在位置を測定してもよい。
【００９８】
次に、入力部１４は、携帯端末１０−１の操作者から、その操作者がエレベータを降りる階数の入力を受け付ける（ステップＳ４２）。そして、入力部１４は、受け付けた階数を示す階数情報を制御部１７へ出力する。
【００９９】
次に、制御部１７は、位置測定部１３から出力された階数情報を乗車階数情報として受け付け、入力部１４から出力された階数情報を降車階数情報として受け付ける。
【０１００】
次に、制御部１７は、受け付けた乗車階数情報と降車階数情報とを含む選択用情報を生成し、生成した選択用情報を通信部１５へ出力する。
【０１０１】
制御部１７から出力された選択用情報を受け付けた通信部１５は、受け付けた選択用情報をサーバ２０へ送信する（ステップＳ４３）。
【０１０２】
サーバ２０の通信部２２は、携帯端末１０−１から送信された選択用情報を受信し、受信した選択用情報を制御部２３へ出力する。
【０１０３】
通信部２２から出力された選択用情報を受け付けた制御部２３は、受け付けた選択用情報に含まれる乗車階数名情報と降車階数名とに基づき、データベース２１が備えるエレベータ別混雑状況情報テーブルから少なくとも１つのエレベータＩＤを選択する（ステップＳ４４）。例えば、エレベータ別混雑状況情報テーブルが図７に示した内容である場合に、乗車階数名情報が示す階数が４であり、降車階数名情報が示す階数が１であるとする。この場合、エレベータＩＤ「１」および「２」のエレベータが選択可能であるが、エレベータＩＤ「２」に対応する混雑率の方が、エレベータＩＤ「１」に対応する混雑率よりも低い。そのため、制御部２３は、エレベータＩＤ「２」を選択する。
【０１０４】
次に、制御部２３は、エレベータ別混雑状況情報テーブルから、ステップＳ４４にて選択したエレベータＩＤに対応する識別子情報を抽出する（ステップＳ４５）。そして、制御部２３は、抽出した識別子情報を通信部２２へ出力する。
【０１０５】
制御部２３から出力された識別子情報を受け付けた通信部２２は、受け付けた識別子情報を携帯端末１０−１へ送信する（ステップＳ４６）。
【０１０６】
以降のステップＳ４７〜Ｓ５０動作は、図６を参照しながら説明したステップＳ２６〜Ｓ２９と同様なので説明を省略する。
【０１０７】
画像表示システム１００が図８を参照しながら説明したように動作することで、上述したのと同様に、利用者の要望に応じた位置をその利用者に容易に認知させることができる。
【０１０８】
なお、本実施形態では、複数の車両のうち利用者の要望に応じた車両の乗車口を指し示す画像を表示する画像表示システム、および、複数のエレベータのうち利用者の要望に応じたエレベータを指し示す画像を表示する画像表示システムについて説明した。
【０１０９】
本発明はこれらに限定されず、本発明を適用することで、例えば複数の窓口のうち最も早く順番が回ってくると予想される窓口を指し示す画像を表示する画像表示システムを実現することも可能である。この場合、複数の窓口のそれぞれの混雑状況を示す情報や、複数の窓口のそれぞれの過去の処理効率等を示す情報を複数の窓口のそれぞれを識別する情報と対応付けてデータベース２１に記憶させておく。そして、図４に示したような識別子情報を抽出するフローにおいて、混雑状況や過去の処理効率等を所定の選択条件として複数の窓口のうちの少なくとも１つを選択するようにすればよい。なお、窓口には、例えばチケット売り場やスーパーマーケットのレジ等も含まれる。
【０１１０】
（第２の実施形態）
図９は、本発明の画像表示システムを構成する画像表示装置の構成の他の例を示すブロック図である。なお、図９において、図２（ｂ）に示したものと同一の構成のものには同一の符号を付してある。また、本実施形態においてサーバ２０の動作は、上述した第１の実施形態における動作と同様である。
【０１１１】
本実施形態において画像表示装置５０−１は、表示部１２および撮影部１１を備えている。
【０１１２】
また、画像表示装置５０−１は、相互に異なる複数の位置のそれぞれに表示された相互に異なる複数の識別子の中から少なくとも１つの識別子を選択させるための選択用情報をサーバ２０へ送信する通信部１５を備えている。また、通信部１５は、複数の識別子のうち、当該送信した選択用情報と所定の選択条件と基づいて選択された識別子を示す識別子情報をサーバ２０から受信する。
【０１１３】
また、画像表示装置５０−１は、撮影部１１にて撮影された撮影画像の中から、通信部１５にて受信された識別子情報が示す識別子を検出する検出部１６を備えている。
【０１１４】
また、画像表示装置５０−１は、検出部１６にて検出された識別子を指し示す画像を、当該撮影画像に重畳させて表示部１２に表示させる制御部１７を備えている。
【０１１５】
これにより、利用者の要望に応じた位置をその利用者に容易に認知させることができる。
【０１１６】
なお、上述した第１および第２の実施形態において、検出部１６にて検出された識別子が表示部１２の表示範囲内に存在しない場合、その識別子が表示部１２に表示されるように、携帯端末の利用者へ撮影方向の変更を促すための画像を表示部１２に表示させるようにしてもよい。撮影方向の変更を促すための画像とは例えば、その識別子が存在する方向を示す矢印等である。
【０１１７】
また、本発明においては、画表示装置内の処理は上述の専用のハードウェアで実現されるもの以外に、その機能を実現するためのプログラムを画像表示装置にて読取可能な記録媒体に記録し、この記録媒体に記録されたプログラムを画像表示装置に読み込ませ、実行するものであっても良い。画像表示装置にて読取可能な記録媒体とは、フレキシブルディスク、光磁気ディスク、ＤＶＤ、ＣＤなどの移設可能な記録媒体の他、画像表示装置に内蔵されたＨＤＤなどを指す。
【符号の説明】
【０１１８】
１０−１〜１０−ｎ，５０−１    携帯端末
１１    撮影部
１２    表示部
１３    位置測定部
１４    入力部
１５，２１    通信部
１６    検出部
１７，２３    制御部
２０    サーバ
２２    データベース
３０−１〜３０−ｎ    検知装置
５１〜５４    識別子
６１    指示画像
１００    画像表示システム
【図１】
0005737752.tif 000002
【図２】
0005737752.tif 000003
【図３】
0005737752.tif 000004
【図４】
0005737752.tif 000005
【図５】
0005737752.tif 000006
【図６】
0005737752.tif 000007
【図７】
0005737752.tif 000008
【図８】
0005737752.tif 000009
【図９】
0005737752.tif 000010